(57)【要約】    【課題】中高層集合住宅等の建築物の床又は壁等の防火区画を貫通する排水管又は継手に取り付けることで、該排水管又は継手に接続される排水立管に軽量で加工が容易な樹脂管を用いた場合でも、火災発生時に排水管又は継手の管路を通じた他の防火区画への類焼を確実に防止することができる防火アタッチメントを提供すること。    【解決手段】排水管又は継手１４の下端部１４ｂを収めて抜け止め状態に固定する取付部２１ａ、２１ｂと、前記取付部２１ａ、２１ｂ下部に連続して設けられ、排水立管１２端部周面を取り囲むと共に内面に設けた係止爪２５ａ、２５ｂで前記排水立管１２端部周面を係止するようにした保持部２４ａ、２４ｂとからなることを特徴とする。  【選択図】図２
2008069957.tif 000002
【特許請求の範囲】
【請求項１】
中高層集合住宅等の建築物の床又は壁の防火区画を貫通する排水管又は継手に取り付けられる防火アタッチメントであって、
前記排水管又は継手の下端部に取り付けられる取付部と、前記排水管又は継手に接続される樹脂製の排水立管端部周面を係止して保持する保持部とからなることを特徴とする防火アタッチメント。
【請求項２】
排水管又は継手の下端部を収めて抜け止め状態に固定する取付部と、前記取付部下部に連続して設けられ、排水立管端部周面を取り囲むと共に内面に設けた係止爪で前記排水立管端部周面を係止するようにした保持部とからなることを特徴とする請求項１記載の防火アタッチメント。
【請求項３】
排水管又は継手の下端部に取り付けられる環状の取付部と、前記取付部の非取付面側に固定され、前記排水立管端部周面を取り囲むと共に内面に設けた係止爪で前記排水立管端部周面を係止するようにした保持部とからなるることを特徴とする請求項１記載の防火アタッチメント。
【請求項４】
当該防火アタッチメントが縦方向に半割りした構造となっており、これら各半割部分を排水立管端部を接続した排水管又は継手の下端部及び前記排水立管端部周面を挟んで突き合わせ、前記各半割部分の周囲に設けた連結部によって、前記各半割部分を連結するようにしたことを特徴とする請求項１〜３のいずれかに記載の防火アタッチメント。
【発明の詳細な説明】
【技術分野】
【０００１】
本発明は、中高層集合住宅等の建築物の床又は壁等の防火区画を貫通する排水管又は継手に取り付けられる防火アタッチメントに関し、詳細には各階の防火区画を貫通する排水管又は継手に取り付けられて、該排水管又は継手の管路を通じた他の防火区画への類焼を防止するようにした防火アタッチメントに関する。
【背景技術】
【０００２】
従来より、複数の住戸専有部分を備える中高層集合住宅等の建築物の排水設備１は、図６に示すように、建築物の上下方向に延びる排水立管２と、建築物の各階毎に設けられて、各階の住居部分の設備等からの排水を前記排水立管２まで導く排水横枝管３と、排水立管２と排水横枝管３とを接続する排水管又は継手４とを有してなり、排水管又は継手４は、その胴部４ａがコンクリートスラブＣの貫通孔Ｃ１に通されており、その胴部４ａによって上階の排水立管２と下階の排水立て管２とが接続されるようになっている。排水管又は継手４は、胴部４ａがコンクリートスラブＣの貫通孔Ｃ１に通された後、その胴部４ａと貫通孔Ｃ１の隙間部分がモルタルＭにより埋め戻されている（特許文献１参照）。
【０００３】
上記従来の排水設備において、建築物の上下方向に延びる排水立管２には、下階から上階への類焼を防ぐ目的で、鋼管や銅管などの金属管や樹脂管の周りにモルタル層を設けた耐火二層管などの配管部材が用いられていた。ところが、金属管や耐火二層管は重く、このような配管部材を配管場所に持ち込み、配管場所で所定の寸法に切断し接続するという配管作業は大変に手間がかかり、技術も要していた。
【０００４】
そこで、運搬や配管作業の手間を大幅に削減できる軽量で、加工性に優れた樹脂製の配管部材の使用が望まれていた。
【０００５】
このような要求に対し、従来より、汎用されている塩ビ管などの樹脂管を建築物の床又は壁等の防火区画を貫通する排水管又は継手に接続される排水立管の配管部材として用いることも検討された。
【０００６】
しかし、塩ビ管などの樹脂管を建築物の床又は壁等の防火区画を貫通する排水管又は継手に接続される排水立管として用いた場合、塩ビ管などの樹脂管は可燃性材料であるため、火災発生時の熱で溶融して消失してしまい、これにより排水管又は継手の管路を通じて他の防火区画への類焼を引き起こす招く恐れがあった。
【特許文献１】特開２００５−１４６５２５号公報
【発明の開示】
【発明が解決しようとする課題】
【０００７】
本発明は、このような技術的課題に鑑みなされたものであり、中高層集合住宅等の建築物の床又は壁等の防火区画を貫通する排水管又は継手に接続される排水立管として、重く取り扱い性が悪い金属管や耐火二層管などの配管部材に代えて軽量で取り扱い性が良好な樹脂管を用いた場合でも、火災発生時に排水管又は継手の管路を通じた他の防火区画への類焼を確実に防止することができる防火アタッチメントを提供することを目的とするものである。
【課題を解決するための手段】
【０００８】
上記目的を達成するため、請求項１記載の発明は、中高層集合住宅等の建築物の床又は壁の防火区画を貫通する排水管又は継手に取り付けられる防火アタッチメントであって、
前記排水管又は継手の下端部に取り付けられる取付部と、前記排水管又は継手に接続される樹脂製の排水立管端部周面を係止して保持する保持部とからなることを特徴とする防火アタッチメントをその要旨とした。
【０００９】
請求項２記載の発明は、排水管又は継手の下端部を収めて抜け止め状態に固定する取付部と、前記取付部下部に連続して設けられ、排水立管端部周面を取り囲むと共に内面に設けた係止爪で前記排水立管端部周面を係止するようにした保持部とからなることを特徴とする請求項１記載の防火アタッチメントをその要旨とした。
【００１０】
請求項３記載の発明は、排水管又は継手の下端部に取り付けられる環状の取付部と、前記取付部の非取付面側に固定され、前記排水立管端部周面を取り囲むと共に内面に設けた係止爪で前記排水立管端部周面を係止するようにした保持部とからなるることを特徴とする請求項１記載の防火アタッチメントをその要旨とした。
【００１１】
請求項４記載の発明は、当該防火アタッチメントが縦方向に半割りした構造となっており、これら各半割部分を排水立管端部を接続した排水管又は継手の下端部及び前記排水立管端部周面を挟んで突き合わせ、前記各半割部分の周囲に設けた連結部によって、前記各半割部分を連結するようにしたことを特徴とする請求項１〜３のいずれかに記載の防火アタッチメントをその要旨とした。
【発明の効果】
【００１２】
請求項１記載の防火アタッチメントにあっては、建築物の各階の防火区画を貫通する排水管又は継手の下端部に取付部を取り付け、前記排水管又は継手に排水立管端部を接続したとき、保持部が前記排水立管端部周面を係止して保持するようになっている。このため、火災発生時の熱によって前記排水立管が溶融して炭化したとき、前記排水管又は継手への管路が、保持部によって保持された排水立管の残焼物によって閉塞され、排水管又は継手の管路を通じた他の防火区画への類焼が確実に防止される。
【００１３】
またこのアタッチメントを適用する場合、排水管又は継手の管路を通じた他の防火区画への類焼を確実に防止できるため、各階の排水管又は継手に接続される排水立管には、ポリ塩化ビニル、架橋ポリエチレン、ポリプロピレン、ポリブテン等の軽量で加工が容易な樹脂管を用いることができるため、建築物の配管作業をより効率よく行うことができる。
【００１４】
請求項２記載の防火アタッチメントにあっては、排水管又は継手の下端部を収納する取付部によって排水管又は継手の下端部が抜け止め状態に固定されると共に、前記排水管又は継手に排水立管端部を接続したとき、前記取付部下部に連続して設けられた保持部によって、前記排水立管端部周面が取り囲まれると共に内面に設けた係止爪により前記排水立管端部周面が係止されて該排水立管端部が保持されるようになっている。このため、火災発生時の熱によって前記排水立管が溶融して炭化したとき、前記排水管又は継手への管路が、保持部によって保持された排水立管の残焼物によって閉塞され、排水管又は継手の管路を通じた他の防火区画への類焼が確実に防止される。
【００１５】
請求項３記載の防火アタッチメントにあっては、排水管又は継手に排水立管端部を接続したとき、排水管又は継手の下端部に取り付けた環状の取付部の非取付面側に固定された保持部によって、前記排水立管端部周面を取り囲まれると共に内面に設けた係止爪により前記排水立管端部周面が係止されて該排水立管端部が保持されるようになっている。このため、火災発生時の熱によって前記排水立管が溶融して炭化したとき、前記排水管又は継手への管路が、保持部によって保持された排水立管の残焼物によって閉塞され、排水管又は継手の管路を通じた他の防火区画への類焼が確実に防止される。
【発明を実施するための最良の形態】
【００１６】
以下、本発明の防火アタッチメント（以下、単にアタッチメントという）を図面に示した一形態に従ってさらに詳しく説明する。図１及び図５に示すように、本発明のアタッチメント２０、３０は、排水設備１１における建築物の上下方向に延びる排水立管１２と、建築物の各階毎に設けられて、各階の住居部分の設備等からの排水を前記排水立管１２まで導く排水横枝管１３とを接続する排水管又は継手１４の下端部１４ｂに取り付けられる。
【００１７】
図示の排水管又は継手１４は、その胴部１４ａがコンクリートスラブＣの貫通孔Ｃ１に通された後、その胴部１４ａと貫通孔Ｃ１の隙間部分がモルタルＭにより埋め戻されている。
【００１８】
本発明のアタッチメント２０、３０を適用した場合、建築物の各階の防火区画を貫通する排水管又は継手１４の下端部１４ｂに取付部２１、３１を取り付け、前記排水管又は継手１４に排水立管１２端部を接続したとき、保持部２２、３２が前記排水立管１２端部周面を係止してこれを保持するようになっている。このため、火災発生時の熱によって排水立管１２が溶融炭化したとき、その残焼物が落下しないで保持されて、前記排水管又は継手１４への管路を閉塞するので、排水管又は継手１４の管路を通じた他の防火区画への類焼が確実に防止されるようになっている。このため、排水立管１２には、ポリ塩化ビニル、架橋ポリエチレン、ポリプロピレン、ポリブテン、ポリエステル等の樹脂管、或いは樹脂管周りに吸音層や制振層など含む防音部材を巻き付けたものを用いることができる。
【００１９】
以下、上述のような作用効果を奏するアタッチメントの具体例を示す。図１〜図４に示すアタッチメント２０は、縦方向に半割りした構造となっており、これら各半割部分２０ａ、２０ｂを排水立管１２端部を接続した排水管又は継手１４の下端部１４ｂ及び前記排水立管１２端部周面を挟んで突き合わせ、前記各半割部分２０ａ、２０ｂの周囲に設けた連結部２６ａ、２６ｂの貫通孔（図示しない）にボルトを２７を通してボルト締めすることで連結されるようになっている。尚、本発明のアタッチメントは、縦方向に半割りした構造に限定されず、３分割、４分割したもの、或いは分割されていないものなど、用途や使用状態に合わせて自由に設計することができる。
【００２０】
図１〜図４に示すように、このアタッチメント２０における取付部２１a、２１ｂは、排水管又は継手１４の下端部の形状及び大きさに対応して、これを収める収納部分２２ａ、２２ｂを構成するようになっている。また、排水管又は継手１４の下端部１４ｂを収める収納部分２２ａ、２２ｂの上部２３ａ、２３ｂは径小に設けられていることから、収納部分２２ａ、２２ｂ内に排水管又は継手１４の下端部１４ｂを収めたとき、該下端部１４ｂは抜け止め状態に固定されるようになっている。この取付部２１ａ、２１ｂ下部に保持部２２ａ、２２ｂが連続して設けられている。
【００２１】
保持部２４ａ、２４ｂは、排水立管１２端部の外径に対応する内径に設けた前記排水立管１２端部周面を取り囲む壁部分からなり、その壁部分の内面には係止爪２５ａ、２５ｂが設けられている。そして、排水管又は継手１４に排水立管１２端部を接続したとき、保持部２４ａ、２４ｂを構成する壁部分により排水立管１２端部周面が取り囲まれると同時に、壁部分の内面に設けた係止爪２５ａ、２５ｂにより前記排水立管１２端部周面が係止されて該排水立管１２端部が保持されるようになっている。
【００２２】
保持部２４ａ、２４ｂの内面に設けられる係止爪２５ａ、２５ｂの大きさや形状は任意であり、図示の例では、鏃状の爪を排水立管１２端部の挿入方向に向けて設けた。このため、排水立管１２端部を引き抜く方向（重力方向）に力が作用することで、排水立管１２端部周面を係止するようになっている。この係止爪２５ａ、２５ｂの数や位置についても限定されず、排水立管１２端部の径や材質に応じて自由に決定することができる。
【００２３】
尚、保持部２４ａ、２４ｂの係止爪２５ａ、２５ｂは、保持部２４ａ、２４ｂの内面に溶接やボルト締めにより固定させてもよいが、一枚の板材をプレス加工し、裁断することで作製することもできる。
【００２４】
火災が発生したとき、その火災時の熱で樹脂製の排水立管は溶融して炭化する。溶融炭化した排水立管１２の残焼物は、そのまま保持部２４ａ、２４ｂの係止爪２５ａ、２５ｂによって係止されて保持され、この結果、前記排水管又は継手１４の下端部１４ｂの開口は前記排水立管１２の残焼物によって閉塞され、排水管又は継手１４の管路を通じた他の防火区画への類焼が防止されることになる。
【００２５】
次に、図５に示すアタッチメント３０について説明する。このアタッチメント３０は、環状の取付部３１と保持部とからなる。図示の取付部３１は、鋳鉄製の板材を円形に打ち抜き加工した薄板であり、この取付部３１上には３つのボルト孔２１ａが穿設されている。そして、この取付部２１が排水管又は継手１４の下端部１４ｂの接続バンド１４ｄのボルト１４ｅによってボルト締めされて、該取付部３１の排水管又は継手の下端部１４ｂへの取り付けがなれるようになっている。尚、取付部３１は環状であれば良く、例えば円形のほかに楕円形や多角形といった形状も採り得る。また取付部３１は、排水管又は継手端部の接続バンドのボルトよってボルト締め可能なボルト孔を有する複数の板材を積層した積層体であっても良い。
【００２６】
図５に示すように、保持部３２は、排水立管１２端部の外径に対応する内径に設けた前記排水立管１２端部周面を取り囲む筒状体からなり、縦方向に半割りした構造となっている。これら各半割部分３２ａ、３２ｂは、排水立管１２端部を接続した排水管又は継手１４の下端部１４ｂ及び前記排水立管１２端部周面を挟んで突き合わせ、この状態で各半割部分３２ａ、３２ｂの周囲に設けた連結部３３ａ、３３ｂの貫通孔（図示しない）にボルト３４を通してボルト締めすることで連結されるようになっている。尚、保持部３２は、縦方向に半割りした構造に限定されず、３分割、４分割したもの、或いは分割されていないものなど、用途や使用状態に合わせて自由に設計することができる。この保持部３２は、取付部２１の排水管又は継手１４の下端部１４ｂへの非取付側面であって、その環周りに該取付部２１に設けた取付孔（図示しない）を介してボルト締めにより固定されるようになっている。
【００２７】
この保持部３２の内面には係止爪３５が設けられている。そして、排水管又は継手１４に排水立管１２端部を接続したとき、保持部３２により排水立管１２端部周面が取り囲まれると同時に、保持部３２の内面に設けた係止爪３５により前記排水立管１２端部周面が係止されて該排水立管１２端部が保持されるようになっている。
【００２８】
保持部３２の内面に設けられる係止爪３５の大きさや形状は任意であり、図示の例では、鏃状の爪を排水立管１２端部の挿入方向に向けて設けた。このため、排水立管１２端部を引き抜く方向（重力方向）に力が作用することで、排水立管１２端部周面を係止するようになっている。この係止爪３５の数や位置についても限定されず、排水立管１２端部の径や材質に応じて自由に決定することができる。
【００２９】
尚、保持部３２の係止爪３５は、保持部３２の内面に溶接やボルト締めにより固定させてもよいが、一枚の板材をプレス加工し、裁断することで作製することもできる。
【００３０】
火災が発生したとき、その火災時の熱で樹脂製の排水立管は溶融して炭化する。溶融炭化した排水立管１２の残焼物は、そのまま保持部３２の係止爪３５によって係止されて保持され、この結果、前記排水管又は継手１４の下端部１４ｂの開口は前記排水立管１２の残焼物によって閉塞され、排水管又は継手１４の管路を通じた他の防火区画への類焼が防止されることになる。
【００３１】
尚、本発明のアタッチメントは、上記の例に限定されるものではなく、例えば図５に示す保持部３２を構成する各半割部分３２ａ、３２ｂの一端側に蝶番を設けて、前記各半割部分３２ａ、３２ｂを蝶番を介して回動可能に連結しておき、各半割部分３２ａ、３２ｂの他端側にボルト締めするためのボルト孔を設けるなど、特許請求の範囲に記載された範囲内で自由に変更することができる。
【図面の簡単な説明】
【００３２】
【図１】本発明のアタッチメントを排水管又は継手の下端部に取り付けた状態を示す正面図である。
【図２】本発明のアタッチメントを排水管又は継手の下端部に取り付けた状態を示す断面図である。
【図３】図１のＡＢ線から切断した拡大断面図である。
【図４】図１のＣＤ線から切断した拡大断面図である。
【図５】本発明のアタッチメントの別例を示す断面図である。
【図６】従来の排水設備を示す模式図である。
【符号の説明】
【００３３】
１２…排水立て管
１３…排水横枝管
１４…排水管又は継手
１４ｂ…下端部挿し口
２０、３０…アタッチメント
２１ａ、２１ｂ、３１…取付部
２４ａ、２４ｂ、３２…保持部
【図１】
2008069957.tif 000003
【図２】
2008069957.tif 000004
【図３】
2008069957.tif 000005
【図４】
2008069957.tif 000006
【図５】
2008069957.tif 000007
【図６】
2008069957.tif 000008